(57)【要約】 【課題】  回路におけるリップルの影響を、より低減することを可能にすること。【解決手段】    第１回路１２と、第２回路１４と、を含む回路においてリップルを測定するリップル特性補正回路１０において、制御回路１８は、第１回路１２に、基準周波数とそれぞれ異なる周波数差を有する周波数の複数のリップル測定用信号を入力し、周波数変換部１６は、第１回路１２より出力されるリップル測定用信号が基準周波数となるよう、該リップル測定用信号の周波数を変換するとともに周波数変換部１６において周波数変換されるリップル測定用信号を第２回路１４に入力し、制御回路１８は、第２回路１４より出力されるリップル測定用信号の振幅を測定し、測定される周波数差ごとの振幅に基づいて、第１回路１２のリップルを算出する、ことを特徴とするリップル特性補正回路。【選択図】        図１
2006067517.tif 000002
【特許請求の範囲】
【請求項１】
第１回路と、第２回路と、を含む回路における、入力信号の周波数変化による出力信号の振幅変化を示すリップルを測定するリップル特性補正回路において、
前記第１回路に、基準周波数とそれぞれ異なる周波数差を有する複数のリップル測定用信号を順次入力する第１リップル測定用信号入力手段と、
前記第１回路より出力される前記リップル測定用信号が前記基準周波数となるよう、該リップル測定用信号の周波数を変換する周波数変換手段と、
前記周波数変換手段において周波数変換される前記リップル測定用信号を前記第２回路に入力する第２リップル測定用信号入力手段と、
前記第２回路より出力される前記リップル測定用信号の振幅を測定する振幅測定手段と、
前記振幅測定手段により測定される前記周波数差ごとの振幅に基づいて、前記第１回路のリップルの特徴量を算出するリップル算出手段と、
を含むことを特徴とするリップル特性補正回路。
【請求項２】
請求項１に記載のリップル特性補正回路において、
前記リップル算出手段により算出されるリップルの特徴量が示す前記第１回路のリップルを打ち消すよう、前記第１回路に入力される信号の振幅を変更する振幅変更手段、
をさらに含むことを特徴とするリップル特性補正回路。
【請求項３】
第１回路と、第２回路と、を含む回路における、入力信号の周波数変化による出力信号の振幅変化を示すリップルを測定するリップル特性補正回路において、
前記第１回路に、基準周波数を有す複数のリップル測定用信号を順次入力する第１リップル測定用信号入力手段と、
前記第１回路より出力される前記リップル測定用信号が前記基準周波数とそれぞれ異なる周波数差を有するよう、該リップル測定用信号の周波数を変換する周波数変換手段と、
前記周波数変換手段において周波数変換される前記リップル測定用信号を前記第２回路に入力する第２リップル測定用信号入力手段と、
前記第２回路より出力される前記リップル測定用信号の振幅を測定する振幅測定手段と、
前記振幅測定手段により測定される前記周波数差ごとの振幅に基づいて、前記第２回路のリップルの特徴量を算出するリップル算出手段と、
を含むことを特徴とするリップル特性補正回路。
【請求項４】
請求項３に記載のリップル特性補正回路において、
前記リップル算出手段により算出されるリップルの特徴量が示す前記第２回路のリップルを打ち消すよう、前記第２回路から出力される信号の振幅を変更する振幅変更手段、
をさらに含むことを特徴とするリップル特性補正回路。
【請求項５】
送信回路と、受信回路と、を含む通信装置において、
前記送信回路は、送信信号を送信周波数に変換するための少なくとも１段の周波数変換手段を含み、
前記送信回路に、基準周波数とそれぞれ異なる周波数差を有する複数のリップル測定用信号を順次入力する第１リップル測定用信号入力手段と、
前記周波数変換手段により、前記リップル測定用信号が前記基準周波数となるよう、前記リップル測定用信号の周波数を変換するリップル測定用信号周波数変換手段と、
前記送信回路より出力される前記リップル測定用信号を前記受信回路に入力する第２リップル測定用信号入力手段と、
前記受信回路より出力される前記リップル測定用信号の振幅を測定する振幅測定手段と、
前記振幅測定手段により測定される前記周波数差ごとの振幅に基づいて、前記送信回路における入力信号の周波数変化による出力信号の振幅変化を示すリップルの特徴量を算出するリップル算出手段と、
を含むことを特徴とする通信装置。
【請求項６】
送信回路と、受信回路と、を含む通信装置において、
前記送信回路は、送信信号を送信周波数に変換するための少なくとも１段の周波数変換手段を含み、
前記送信回路に、基準周波数を有す複数のリップル測定用信号を順次入力する第１リップル測定用信号入力手段と、
前記周波数変換手段により、前記リップル測定用信号が前記基準周波数とそれぞれ異なる周波数差を有するよう、前記リップル測定用信号の周波数を変換するリップル測定用信号周波数変換手段と、
前記送信回路より出力される前記リップル測定用信号を前記受信回路に入力する第２リップル測定用信号入力手段と、
前記受信回路より出力される前記リップル測定用信号の振幅を測定する振幅測定手段と、
前記振幅測定手段により測定される前記周波数差ごとの振幅に基づいて、前記受信回路における入力信号の周波数変化による出力信号の振幅変化を示すリップルの特徴量を算出するリップル算出手段と、
を含むことを特徴とする通信装置。
【請求項７】
送信回路と、受信回路と、を含む通信装置において、
前記受信回路は、受信信号を中間周波数に変換するための少なくとも１段の周波数変換手段を含み、
前記送信回路に、基準周波数とそれぞれ異なる周波数差を有する複数のリップル測定用信号を順次入力する第１リップル測定用信号入力手段と、
前記送信回路より出力される前記リップル測定用信号を前記受信回路に入力する第２リップル測定用信号入力手段と、
前記周波数変換手段により、前記リップル測定用信号が前記基準周波数となるよう、前記リップル測定用信号の周波数を変換するリップル測定用信号周波数変換手段と、
前記受信回路より出力される前記リップル測定用信号の振幅を測定する振幅測定手段と、
前記振幅測定手段により測定される前記周波数差ごとの振幅に基づいて、前記送信回路における入力信号の周波数変化による出力信号の振幅変化を示すリップルの特徴量を算出するリップル算出手段と、
を含むことを特徴とする通信装置。
【請求項８】
送信回路と、受信回路と、を含む通信装置において、
前記受信回路は、受信信号を中間周波数に変換するための少なくとも１段の周波数変換手段を含み、
前記送信回路に、基準周波数を有す複数のリップル測定用信号を入力する第１リップル測定用信号入力手段と、
前記送信回路より出力される前記リップル測定用信号を前記受信回路に入力する第２リップル測定用信号入力手段と、
前記周波数変換手段により、前記リップル測定用信号が前記基準周波数とそれぞれ異なる周波数差を有するよう、前記リップル測定用信号の周波数を変換するリップル測定用信号周波数変換手段と、
前記受信回路より出力される前記リップル測定用信号の振幅を測定する振幅測定手段と、
前記振幅測定手段により測定される前記周波数差ごとの振幅に基づいて、前記受信回路における入力信号の周波数変化による出力信号の振幅変化を示すリップルの特徴量を算出するリップル算出手段と、
を含むことを特徴とする通信装置。
【請求項９】
請求項５又は６に記載の通信装置において、
前記リップル測定用信号周波数変換手段は、複数の前記周波数変換手段のうち最終段の周波数変換手段により、前記リップル測定用信号の周波数を変換する、
ことを特徴とする通信装置。
【請求項１０】
請求項７又は８に記載の通信装置において、
前記リップル測定用信号周波数変換手段は、複数の前記周波数変換手段のうち１段目の周波数変換手段により、前記リップル測定用信号の周波数を変換する、
ことを特徴とする通信装置。
【請求項１１】
請求項５又は７に記載の通信装置において、
前記リップル算出手段により算出されるリップルの特徴量が示す前記送信回路のリップルを打ち消すよう、前記送信回路に入力される信号の振幅を変更する振幅変更手段、
をさらに含むことを特徴とする通信装置。
【請求項１２】
請求項６又は８に記載の通信装置において、
前記リップル算出手段により算出されるリップルの特徴量が示す前記受信回路のリップルを打ち消すよう、前記受信回路から出力される信号の振幅を変更する振幅変更手段、
をさらに含むことを特徴とする通信装置。
【請求項１３】
第１回路と、第２回路と、を含む回路における、入力信号の周波数変化による出力信号の振幅変化を示すリップルを測定するリップル特性補正方法において、
前記第１回路に、基準周波数とそれぞれ異なる周波数差を有する複数のリップル測定用信号を順次入力する第１リップル測定用信号入力ステップと、
前記第１回路より出力される前記リップル測定用信号が前記基準周波数となるよう、該リップル測定用信号の周波数を変換する周波数変換ステップと、
前記周波数変換ステップにおいて周波数変換される前記リップル測定用信号を前記第２回路に入力する第２リップル測定用信号入力ステップと、
前記第２回路より出力される前記リップル測定用信号の振幅を測定する振幅測定ステップと、
前記振幅測定ステップにおいて測定される前記周波数差ごとの振幅に基づいて、前記第１回路のリップルの特徴量を算出するリップル算出ステップと、
を含むことを特徴とするリップル特性補正方法。
【請求項１４】
請求項１３に記載のリップル特性補正方法において、
前記リップル算出ステップにおいて算出されるリップルの特徴量が示す前記第１回路のリップルを打ち消すよう、前記第１回路に入力される信号の振幅を変更する振幅変更ステップ、
をさらに含むことを特徴とするリップル特性補正方法。
【請求項１５】
第１回路と、第２回路と、を含む回路における、入力信号の周波数変化による出力信号の振幅変化を示すリップルを測定するリップル特性補正方法において、
前記第１回路に、基準周波数を有す複数のリップル測定用信号を順次入力する第１リップル測定用信号入力手段と、
前記第１回路より出力される前記リップル測定用信号が前記基準周波数とそれぞれ異なる周波数差を有するよう、該リップル測定用信号の周波数を変換する周波数変換ステップと、
前記周波数変換ステップにおいて周波数変換される前記リップル測定用信号を前記第２回路に入力する第２リップル測定用信号入力ステップと、
前記第２回路より出力される前記リップル測定用信号の振幅を測定する振幅測定ステップと、
前記振幅測定ステップにおいて測定される前記周波数差ごとの振幅に基づいて、前記第２回路のリップルの特徴量を算出するリップル算出ステップと、
を含むことを特徴とするリップル特性補正方法。
【請求項１６】
請求項１５に記載のリップル特性補正方法において、
前記リップル算出ステップにおいて算出されるリップルの特徴量が示す前記第２回路のリップルを打ち消すよう、前記第２回路から出力される信号の振幅を変更する振幅変更ステップ、
をさらに含むことを特徴とするリップル特性補正方法。
【発明の詳細な説明】
【技術分野】
【０００１】
本発明はリップル特性補正回路及びリップル特性補正方法に関する。
【背景技術】
【０００２】
通信を行うためのスペクトラム拡散変調信号がある回路を通過する場合に、ベースバンド帯域内のリップル（信号の周波数により信号の振幅が変化すること）が存在することは、従来から知られている。そして従来、リップルは回路の性能を表す指標のひとつと考えられていることから、リップルの影響の少ない回路を得るために、予めリップル成分を打ち消す補正を行うためのトリマコンデンサを回路の入力段階に設置し、該回路を含む製品を出荷する際に該回路のリップルを測定することにより該トリマコンデンサの容量を調節し、製品としてのリップルを最小限にすることが行われている。この原理については、例えば非特許文献１に詳しく説明されている。
【非特許文献１】霜田光一、桜井捷海，「エレクトロニクスの基礎（新版）」，物理学選書１，裳華房，昭和６２年３月２５日，Ｐ．２５４−２５５
【発明の開示】
【発明が解決しようとする課題】
【０００３】
しかしながら昨今、回路のベースバンド信号の振幅成分に高い精度が求められることが多い。例えば通信装置において直角位相振幅変調を行う場合には、振幅で多重化された通信信号を識別するために、極めて高精度な振幅制御が要求される。このように、上記従来の方法により予め出荷時にリップルを最小限に留めるように設定をしたとしても、気温や湿度等の外部環境によりリップルに微少な変化があった場合の影響など、これまで考えられなかった程度の微少なリップルの変化が無視できないことが多くなっている。
【０００４】
本発明は上記課題に鑑みてなされたものであって、その目的は、いつでも回路のリップルを測定することができるようにすることで、回路におけるリップルの影響をより低減することを可能にするリップル特性補正回路及びリップル特性補正方法を提供することにある。
【課題を解決するための手段】
【０００５】
上記課題を解決するための本発明に係るリップル特性補正回路は、第１回路と、第２回路と、を含む回路における、入力信号の周波数変化による出力信号の振幅変化を示すリップルを測定するリップル特性補正回路において、前記第１回路に、基準周波数とそれぞれ異なる周波数差を有する複数のリップル測定用信号を順次入力する第１リップル測定用信号入力手段と、前記第１回路より出力される前記リップル測定用信号が前記基準周波数となるよう、該リップル測定用信号の周波数を変換する周波数変換手段と、前記周波数変換手段において周波数変換される前記リップル測定用信号を前記第２回路に入力する第２リップル測定用信号入力手段と、前記第２回路より出力される前記リップル測定用信号の振幅を測定する振幅測定手段と、前記振幅測定手段により測定される前記周波数差ごとの振幅に基づいて、前記第１回路のリップルの特徴量を算出するリップル算出手段と、を含むことを特徴とする。
【０００６】
このようにすることにより、特段の測定装置を用いずともリップルを検出することができるので、その検出結果を利用して、いつでも第１回路のリップルを補正することができ、第１回路におけるリップルの影響をより低減することが可能になる。
【０００７】
また、上記リップル特性補正回路において、前記リップル算出手段により算出されるリップルの特徴量が示す前記第１回路のリップルを打ち消すよう、前記第１回路に入力される信号の振幅を変更する振幅変更手段、をさらに含むこととしてもよい。
【０００８】
また、本発明の別の一態様に係るリップル特性補正回路は、第１回路と、第２回路と、を含む回路における入力信号の周波数変化による出力信号の振幅変化を示すリップルを測定するリップル特性補正回路において、前記第１回路に、基準周波数を有す複数のリップル測定用信号を順次入力する第１リップル測定用信号入力手段と、前記第１回路より出力される前記リップル測定用信号が前記基準周波数とそれぞれ異なる周波数差を有するよう、該リップル測定用信号の周波数を変換する周波数変換手段と、前記周波数変換手段において周波数変換される前記リップル測定用信号を前記第２回路に入力する第２リップル測定用信号入力手段と、前記第２回路より出力される前記リップル測定用信号の振幅を測定する振幅測定手段と、前記振幅測定手段により測定される前記周波数差ごとの振幅に基づいて、前記第２回路のリップルの特徴量を算出するリップル算出手段と、を含むことを特徴とする。
【０００９】
このようにすることにより、特段の測定装置を用いずともリップルを検出することができるので、その検出結果を利用して、いつでも第２回路のリップルを補正することができ、第２回路におけるリップルの影響をより低減することが可能になる。
【００１０】
また、上記リップル特性補正回路において、前記リップル算出手段により算出されるリップルの特徴量が示す前記第２回路のリップルを打ち消すよう、前記第２回路から出力される信号の振幅を変更する振幅変更手段、をさらに含むこととしてもよい。
【００１１】
また、本発明の別の一態様に係る通信装置は、送信回路と、受信回路と、を含む通信装置において、前記送信回路は、送信信号を送信周波数に変換するための少なくとも１段の周波数変換手段を含み、前記送信回路に、基準周波数とそれぞれ異なる周波数差を有する複数のリップル測定用信号を順次入力する第１リップル測定用信号入力手段と、前記周波数変換手段により、前記リップル測定用信号が前記基準周波数となるよう、前記リップル測定用信号の周波数を変換するリップル測定用信号周波数変換手段と、前記送信回路より出力される前記リップル測定用信号を前記受信回路に入力する第２リップル測定用信号入力手段と、前記受信回路より出力される前記リップル測定用信号の振幅を測定する振幅測定手段と、前記振幅測定手段により測定される前記周波数差ごとの振幅に基づいて、前記送信回路における入力信号の周波数変化による出力信号の振幅変化を示すリップルの特徴量を算出するリップル算出手段と、を含むことを特徴とする。このようにすれば、通信装置の送信回路のリップルの特徴量を算出することができ、通信装置を運用に供した後でも、特段の測定装置を使用せずにリップルの特徴量を算出することができるようになるので、リップルの影響をより低減することができるようになる。なお、前記リップル測定用信号周波数変換手段は、複数の前記周波数変換手段のうち最終段の周波数変換手段により、前記リップル測定用信号の周波数を変換することが好適である。また、前記リップル算出手段により算出されるリップルの特徴量が示す前記送信回路のリップルを打ち消すよう、前記送信回路に入力される信号の振幅を変更する振幅変更手段をさらに含むこととしてもよい。
【００１２】
また、本発明の別の一態様に係る通信装置は、送信回路と、受信回路と、を含む通信装置において、前記送信回路は、送信信号を送信周波数に変換するための少なくとも１段の周波数変換手段を含み、前記送信回路に、基準周波数を有す複数のリップル測定用信号を順次入力する第１リップル測定用信号入力手段と、前記周波数変換手段により、前記リップル測定用信号が前記基準周波数とそれぞれ異なる周波数差を有するよう、前記リップル測定用信号の周波数を変換するリップル測定用信号周波数変換手段と、前記送信回路より出力される前記リップル測定用信号を前記受信回路に入力する第２リップル測定用信号入力手段と、前記受信回路より出力される前記リップル測定用信号の振幅を測定する振幅測定手段と、前記振幅測定手段により測定される前記周波数差ごとの振幅に基づいて、前記受信回路における入力信号の周波数変化による出力信号の振幅変化を示すリップルの特徴量を算出するリップル算出手段と、を含むことを特徴とする。このようにすれば、通信装置の受信回路のリップルの特徴量を算出することができ、通信装置を運用に供した後でも、特段の測定装置を使用せずにリップルの特徴量を算出することができるようになるので、リップルの影響をより低減することができるようになる。なお、前記リップル測定用信号周波数変換手段は、複数の前記周波数変換手段のうち最終段の周波数変換手段により、前記リップル測定用信号の周波数を変換することが好適である。また、前記リップル算出手段により算出されるリップルの特徴量が示す前記受信回路のリップルを打ち消すよう、前記受信回路から出力される信号の振幅を変更する振幅変更手段をさらに含むこととしてもよい。
【００１３】
また、本発明の別の一態様に係る通信装置は、送信回路と、受信回路と、を含む通信装置において、前記受信回路は、受信信号を中間周波数に変換するための少なくとも１段の周波数変換手段を含み、前記送信回路に、基準周波数とそれぞれ異なる周波数差を有する複数のリップル測定用信号を順次入力する第１リップル測定用信号入力手段と、前記送信回路より出力される前記リップル測定用信号を前記受信回路に入力する第２リップル測定用信号入力手段と、前記周波数変換手段により、前記リップル測定用信号が前記基準周波数となるよう、前記リップル測定用信号の周波数を変換するリップル測定用信号周波数変換手段と、前記受信回路より出力される前記リップル測定用信号の振幅を測定する振幅測定手段と、前記振幅測定手段により測定される前記周波数差ごとの振幅に基づいて、前記送信回路における入力信号の周波数変化による出力信号の振幅変化を示すリップルの特徴量を算出するリップル算出手段と、を含むことを特徴とする。このようにしても、通信装置の送信回路のリップルの特徴量を算出することができ、通信装置を運用に供した後でも、特段の測定装置を使用せずにリップルの特徴量を算出することができるようになるので、リップルの影響をより低減することができるようになる。なお、前記リップル測定用信号周波数変換手段は、複数の前記周波数変換手段のうち１段目の周波数変換手段により、前記リップル測定用信号の周波数を変換することが好適である。また、前記リップル算出手段により算出されるリップルの特徴量が示す前記送信回路のリップルを打ち消すよう、前記送信回路に入力される信号の振幅を変更する振幅変更手段をさらに含むこととしてもよい。
【００１４】
また、本発明の別の一態様に係る通信装置は、送信回路と、受信回路と、を含む通信装置において、前記受信回路は、受信信号を中間周波数に変換するための少なくとも１段の周波数変換手段を含み、前記送信回路に、基準周波数を有す複数のリップル測定用信号を順次入力する第１リップル測定用信号入力手段と、前記送信回路より出力される前記リップル測定用信号を前記受信回路に入力する第２リップル測定用信号入力手段と、前記周波数変換手段により、前記リップル測定用信号が前記基準周波数とそれぞれ異なる周波数差を有するよう、前記リップル測定用信号の周波数を変換するリップル測定用信号周波数変換手段と、前記受信回路より出力される前記リップル測定用信号の振幅を測定する振幅測定手段と、前記振幅測定手段により測定される前記周波数差ごとの振幅に基づいて、前記受信回路における入力信号の周波数変化による出力信号の振幅変化を示すリップルの特徴量を算出するリップル算出手段と、を含むことを特徴とする。このようにしても、通信装置の受信回路のリップルの特徴量を算出することができ、通信装置を運用に供した後でも、特段の測定装置を使用せずにリップルの特徴量を算出することができるようになるので、リップルの影響をより低減することができるようになる。なお、前記リップル測定用信号周波数変換手段は、複数の前記周波数変換手段のうち１段目の周波数変換手段により、前記リップル測定用信号の周波数を変換することが好適である。また、前記リップル算出手段により算出されるリップルの特徴量が示す前記受信回路のリップルを打ち消すよう、前記受信回路から出力される信号の振幅を変更する振幅変更手段をさらに含むこととしてもよい。
【００１５】
また、本発明に係るリップル特性補正方法は、第１回路と、第２回路と、を含む回路における入力信号の周波数変化による出力信号の振幅変化を示すリップルを測定するリップル特性補正方法において、前記第１回路に、基準周波数とそれぞれ異なる周波数差を有する複数のリップル測定用信号を順次入力する第１リップル測定用信号入力ステップと、前記第１回路より出力される前記リップル測定用信号が前記基準周波数となるよう、該リップル測定用信号の周波数を変換する周波数変換ステップと、前記周波数変換ステップにおいて周波数変換される前記リップル測定用信号を前記第２回路に入力する第２リップル測定用信号入力ステップと、前記第２回路より出力される前記リップル測定用信号の振幅を測定する振幅測定ステップと、前記振幅測定ステップにおいて測定される前記周波数差ごとの振幅に基づいて、前記第１回路のリップルの特徴量を算出するリップル算出ステップと、を含むことを特徴とする。なお、前記リップル算出ステップにおいて算出されるリップルの特徴量が示す前記第１回路のリップルを打ち消すよう、前記第１回路に入力される信号の振幅を変更する振幅変更ステップをさらに含むこととしてもよい。
【００１６】
また、本発明の別の一態様に係るリップル特性補正方法は、第１回路と、第２回路と、を含む回路における入力信号の周波数変化による出力信号の振幅変化を示すリップルを測定するリップル特性補正方法において、前記第１回路に、基準周波数を有す複数のリップル測定用信号を順次入力する第１リップル測定用信号入力手段と、前記第１回路より出力される前記リップル測定用信号が前記基準周波数とそれぞれ異なる周波数差を有するよう、該リップル測定用信号の周波数を変換する周波数変換ステップと、前記周波数変換ステップにおいて周波数変換される前記リップル測定用信号を前記第２回路に入力する第２リップル測定用信号入力ステップと、前記第２回路より出力される前記リップル測定用信号の振幅を測定する振幅測定ステップと、前記振幅測定ステップにおいて測定される前記周波数差ごとの振幅に基づいて、前記第２回路のリップルの特徴量を算出するリップル算出ステップと、を含むことを特徴とする。なお、前記リップル算出ステップにおいて算出されるリップルの特徴量が示す前記第２回路のリップルを打ち消すよう、前記第２回路から出力される信号の振幅を変更する振幅変更ステップをさらに含むこととしてもよい。
【発明を実施するための最良の形態】
【００１７】
本発明の実施の形態について、図面を参照しながら説明する。
【００１８】
本実施の形態に係るリップル特性補正回路１０は、図１に示すように、第１回路１２、第２回路１４、周波数変換回路１６及び制御回路１８を含んで構成されている。そして、制御回路１８からの信号は第１回路１２及び周波数変換回路１６に出力され、第１回路１２からの信号は周波数変換回路１６に出力され、周波数変換回路１６からの信号は第２回路１４に出力され、第２回路１４からの信号は制御回路１８に出力される。
【００１９】
ベースバンド帯域内のリップルとは、ベースバンド信号の周波数により信号の振幅がわずかに異なることをいう。すなわち、同じ振幅、異なる周波数で入力された複数の信号が回路を通過した場合の出力は、異なる振幅となって出力される。この場合の振幅の偏移量がリップルとして称呼される。そして該リップルは、一般に、ある基準となる周波数における振幅との差によって表される。本実施の形態においては、第１回路１２若しくは第２回路１４において該リップルが発生するものとしている。すなわち、第１回路１２及び第２回路１４は、リップルが発生しやすい回路要素を含んでいる。そしてリップル特性補正回路１０は、第１回路１２若しくは第２回路１４において発生するリップルを測定する。
【００２０】
以下、リップル特性補正回路１０の動作について説明する。
【００２１】
まず、第１の実施形態について説明する。制御回路１８は、基準となる基準周波数と所定の周波数差（周波数差ゼロを含む）を有するリップル測定用信号を第１回路１２に対して入力する。このリップル測定用信号は、周波数・振幅が一定の進行波であることが望ましい。なお、該進行波は通常、電磁波（光を含む）から構成されるが、例えば音波その他の振動波でも同様である。
【００２２】
そして入力されたリップル測定用信号は、第１回路１２から周波数変換回路１６に対して出力される。周波数変換回路１６においては、該リップル測定用信号の周波数が上記基準周波数となるよう該リップル測定用信号の周波数を変換する。すなわち、制御回路１８から該リップル測定用信号の周波数と基準周波数との周波数差を示すデータの入力を受けて、該周波数差を打ち消すよう、該リップル測定用信号の周波数を変換する。そして周波数変換回路１６は、第２回路１４に対して、該リップル測定用信号を出力する。
【００２３】
第２回路１４は、入力された該リップル測定用信号を制御回路１８に出力する。こうして取得される該リップル測定用信号について、制御回路１８は、該信号の振幅を測定する。
【００２４】
リップル特性補正回路１０は、以上の処理を、複数のリップル測定用信号において順次行い、その結果得られる該リップル測定用信号の周波数と振幅との関係を第１回路１２のリップルとして算出する。すなわち、基準周波数との周波数差ごとの、基準周波数における振幅との振幅差をリップルとして取得する。
【００２５】
次に、第２の実施形態について説明する。制御回路１８は、基準周波数のリップル測定用信号を複数第１回路１２に対して順次入力する。このリップル測定用信号も、周波数・振幅が一定の進行波であることが望ましい。なお、該進行波は通常、電磁波（光を含む）から構成されるが、例えば音波その他の振動波でも同様である。
【００２６】
そして入力されたリップル測定用信号は、第１回路１２から周波数変換回路１６に対して出力される。周波数変換回路１６においては、該リップル測定用信号の周波数が上記基準周波数と所定の周波数差（周波数差ゼロを含む）を有するよう、該リップル測定用信号の周波数を変換する。すなわち、制御回路１８から該リップル測定用信号の周波数と基準周波数との周波数差を示すデータの入力を受けて、該周波数差を有するよう、該リップル測定用信号の周波数を変換する。そして周波数変換回路１６は、第２回路１４に対して、該リップル測定用信号を出力する。
【００２７】
第２回路１４は、入力された該リップル測定用信号を制御回路１８に出力する。こうして取得される該リップル測定用信号について、制御回路１８は、該信号の振幅を測定する。
【００２８】
リップル特性補正回路１０は、以上の処理を、複数のリップル測定用信号において順次行い、その結果得られる該リップル測定用信号の周波数と振幅との関係を第２回路１４のリップルとして算出する。すなわち、基準周波数との周波数差ごとの、基準周波数における振幅との振幅差をリップルとして取得する。
【００２９】
以上のようにすることにより、リップル特性補正回路１０は、第１回路１２の入力と、第２回路１４の出力と、を測定することにより、いずれかの回路のリップルを検出することができる。つまり、第１回路１２から第２回路１４に対してリップル測定用信号を出力する際に周波数を変換するので、基準周波数との周波数差を有しないリップル測定用信号が通過する回路におけるリップルは、周波数差によらず一定となるため、制御回路１８は、基準周波数との周波数差を有する回路のみのリップルを測定することができる。そして、以上のようにして求められたリップルを打ち消すように、予め第１回路１２に入力する信号若しくは第２回路１４から出力される信号に振幅差をつけることにより、これらの回路を通過する信号、例えば通信信号、が該回路で受けるリップルの影響をより低減することができる。
【００３０】
次に、以上のリップル測定処理を通信装置に適用した場合の実施例を説明する。
【００３１】
本実施例に係る通信装置２０は、図２に示すように制御部２２、記憶部２４、送信部２６、切替部２８、アンテナ３０、受信部３２を含んで構成される無線通信装置である。そして、送信部２６は周波数変換部３４を、受信部３２は周波数変換部３６を、それぞれ含んで構成される。具体的には、例えば携帯電話や無線ＬＡＮなどの移動体通信で使用される基地局装置や移動局装置であってもよいし、アマチュア無線などで使用される無線装置であってもよい。また、ＦＷＡ（Fixed Wireless Access）などの固定無線通信でも使用することができる。
【００３２】
制御部２２は、通信装置２０の各部を制御し、信号の送受信制御や、通話やデータ通信に関わる処理を実行している。記憶部２４は、制御部２２のワークメモリとして動作する。また、この記憶部２４は、制御部２２によって行われる各種処理に関わるプログラムやパラメータを保持している。さらに、本発明に係るプログラムも記憶している。送信部２６は、少なくとも１の周波数変換部３４を含む。そして、制御部２２から入力される送信信号を送信するための符号化・変調処理や増幅処理を行うとともに、周波数変換部３４において、スーパーへテロダイン方式における周波数変換処理を行い、送信信号を切替部２８に対して出力する。そして切替部２８は、送信時には、アンテナ３０を介して送信部２６から出力される送信信号を無線区間に出力する。送信時とは、例えば時分割複信方式を採用した場合の、送信タイムスロットを指す。
【００３３】
アンテナ３０に到来する信号を受信する時、すなわち受信タイムスロットでは、切替部２８は、受信した受信信号を受信部３２に対して出力する。受信部３２は、少なくとも１の周波数変換部３６を含む。そして、切替部２８から入力される受信信号を受信するための復調・復号処理や増幅処理とともに、周波数変換部３６において、スーパーへテロダイン方式における周波数変換処理を行い、受信信号を制御部２２に対して出力する。
【００３４】
図３は、通信装置２０の以上の構成の一例をより詳細に説明するためのハードウェア構成図である。同図に示すように、通信装置２０は、送信ベースバンド制御部４０及び受信ベースバンド制御部８２を含み、これらは制御部２２に含まれる。また、送信ベースバンド制御部４０及び受信ベースバンド制御部８２は記憶部２４と接続されるとともに、相互に接続される。
【００３５】
送信ベースバンド制御部４０は、制御部２２に含まれるＤ／Ａコンバータ４４を介して送信部２６と接続される。Ｄ／Ａコンバータ４４は、送信ベースバンド制御部４０からの指示に従い、アナログ信号を送信部２６に対して入力する。該アナログ信号は、送信部２６に含まれる増幅器４６に入力され、さらに、１次ＩＦ−ＢＰＦ４８、乗算器５０、増幅器５２、２次ＩＦ−ＢＰＦ５４、乗算器５６、ＲＦ−ＢＰＦ５８、増幅器６０がこの順に接続され、送信信号が処理される。なお、Ｄはデジタル(Digital)、Ａはアナログ(Analog)、ＢＰＦは帯域フィルタ(Band Pass Filter)、ＩＦは中間周波数(Inter Frequency)、ＲＦは無線周波数(Radio Frequency)のそれぞれ略称である。そして、増幅器６０は、切替部２８と接続され、該切替部２８に対し送信信号を出力する。なおここでは、切替部２８としてＤＵＰ(デュプレクサ、DUPlexer)を使用しているが、例えば通信装置２０をシンプレックスとする場合には、ＳＷ(スイッチ、SWitch)でもよい。
【００３６】
受信部３２は、増幅器６４で切替部２８と接続され、アンテナ３０で受信された無線信号を切替部２８から入力される。そしてさらに、ＲＦ−ＢＰＦ６６、乗算器６８、増幅器７０、１次ＩＦ−ＢＰＦ７２、乗算器７４、増幅器７６、２次ＩＦ−ＢＰＦ７８がこの順に接続され、受信信号が処理される。そして制御部２２に含まれるＡ／Ｄコンバータ８０に受信信号が入力され、受信信号がデジタル化される。そして受信信号を示す情報が受信ベースバンド制御部８２に出力される。
【００３７】
通信装置２０は従来公知のダブルスーパーへテロダイン方式を採用しており、送信部２６及び受信部３２においては、通信信号を２段の中間周波数に変換しながら、信号の送受信がなされる。なお、送信部２６は、通信信号を無線区間に送信するために、最終的に送信周波数としての無線周波数に該通信信号の周波数を変換する。この周波数変換処理を行うのは乗算器５０、乗算器５６、乗算器６８、乗算器７４であり、局部発振器９０、局部発振器９２及び局部発振器９４からの信号を乗算することにより、周波数変換が行われる。なお、局部発振器９２及び局部発振器９４については、それぞれ送信ベースバンド制御部４０、受信ベースバンド制御部８２からの指示により精密に周波数を変換することができるフラクショナルＮ（分数分周）方式のシンセサイザを利用することが望ましい。
【００３８】
次に、通信装置２０におけるリップル測定処理について説明する。
【００３９】
まず、上記第１の実施形態の実施例として、第１実施例及び第２実施例について説明する。
【００４０】
図４は、第１実施例及び第２実施例に係る通信装置２０のハードウェア構成図である。ハードウェア構成自体は、図３において説明した通信装置２０と同様であるが、増幅器４６、１次ＩＦ−ＢＰＦ４８、乗算器５０、増幅器５２、２次ＩＦ−ＢＰＦ５４は第１回路１２を構成し、乗算器５６は周波数変換回路１６を構成し、ＲＦ−ＢＰＦ５８、増幅器６０、切替部２８、増幅器６４、ＲＦ−ＢＰＦ６６、乗算器６８、増幅器７０、１次ＩＦ−ＢＰＦ７２、乗算器７４、増幅器７６、２次ＩＦ−ＢＰＦ７８は第２回路１４を構成する。また、制御部２２は制御回路１８を構成する。このような構成とすることにより、第１回路１２と、第２回路１４との間には、周波数変換回路１６が存在することとなり、第１回路１２から出力される信号を、周波数変換回路１６及び局部発振器９２により周波数変換し、第２回路１４に入力することが可能となる。なお、図３にも示されるように、送信部２６には周波数変換のための乗算器が２つ存在しているが、リップル測定処理の場合には、最終段すなわち切替部２８に最も近い乗算器を使用し、他の乗算器は使用しないようにして構わない。
【００４１】
第１実施例においては、まず制御部２２において、送信ベースバンド制御部４０がＤ／Ａコンバータ４４に対して、リップル測定用信号を送信するよう指示を行う。このとき、複数のリップル測定用信号を順次送信し、それぞれの送信周波数を異ならせ、基準周波数との周波数差を設ける。もちろん、基準周波数そのものであるリップル測定用信号が存在しても構わない。また、リップル測定用信号は、正弦波（無変調の搬送波）であることが望ましい。すなわち、周波数が一定の進行波であることが望ましい。
【００４２】
そして、リップル測定用信号は、第１回路１２において通信信号と同様の処理により増幅・周波数変換される。そして、周波数変換回路１６に含まれる乗算器５６において、上記周波数差を打ち消して、リップル測定用信号の周波数が基準周波数となるよう、周波数変換を行う。この際、送信ベースバンド制御部４０から局部発振器９２に対して基準周波数との周波数差を送信することにより、該周波数差を打ち消すための周波数の信号を局部発振器９２において発振することができる。そして該周波数変換されたリップル測定用信号は、第２回路１４に入力され、通信信号と同様の処理により増幅・周波数変換・復調された信号として、受信ベースバンド制御部８２に出力される。ただし、切替部２８においては、送信部２６からの信号を受信部３２に入力するための処理を行う。この処理は例えば増幅器６４において送信部２６からの漏れ高周波を検出する処理であってもよい。
【００４３】
このようにして受信されるリップル測定用信号の振幅は、リップルの影響により制御回路１８から第１回路１２に信号を入力した際の周波数に応じて異なる。そして受信ベースバンド制御部８２は、第１回路１２への入力信号の周波数と、対応する出力信号の振幅と、の関係を第１回路１２のリップルの特徴を示す特徴量として算出する。そして該算出した第１回路１２のリップルの特徴量を、記憶部２４に記憶する。そして該記憶されるリップルの特徴量に応じて、送信ベースバンド制御部４０により送信される通信信号の振幅に差をつけることにより、第１回路１２において送信信号が受けるリップルの影響を低減することが可能になる。また、このようにして取得されるリップルを記憶部２４に記憶しておくことにより、第１回路１２より送信される通信信号の振幅を、第１回路１２からの出力においてリップルの影響がなくなるよう、該記憶されるリップルに応じて予め変更しておけば、予めリップル成分を打ち消す補正を行うためのトリマコンデンサを回路の入力段階に設置し、該回路を含む製品を出荷する際に該回路のリップルを測定することにより該トリマコンデンサの容量を調節し、製品としてのリップルを最小限にすることに比べ、アンテナ３０から送信される通信信号への第１回路１２でのリップルの影響をより低減することができる。すなわち、通信装置２０の運用開始後においても、リップル測定用信号を回路に通すことができる限りにおいていつでもリップルを測定することができ、さらにその記憶されるリップルに応じた送信信号の振幅の補正をすることができるので、気温や湿度等の外部環境によりリップルに微少な変化があった場合にも対応してリップルを補正することができる。
【００４４】
以上説明した第１実施例における制御部２２の処理を、処理フロー図を参照しながら、より具体的に説明する。
【００４５】
図６は、第１実施例において、制御部２２における送信部２６のリップルを算出する処理の処理フロー図である。まず、制御部２２は、変数Ｆｂｃ、変数Ｆｗ、変数Ｎ、掃引カウンタＡ及び変数Ｆｌｏの記憶領域を確保し、それぞれリップル測定用信号の周波数の基準となる中心周波数、ベースバンド周波数の帯域幅、ベースバンド帯域幅掃引ステップ、０及びＲＦローカル周波数を代入する（Ｓ１００）。ＲＦローカル周波数は、信号の周波数を、無線区間における周波数に変換するための周波数である。そして、送信部２６に対し、Ｆｂｃ−（Ｆｗ／２）＋（Ａ×Ｆｗ／Ｎ）の周波数でリップル測定用信号を入力する（Ｓ１０２）。そして、乗算器５６において、該リップル測定用信号の周波数変換を行うために、周波数Ｆｌｏ＋（Ｆｗ／２）−（Ａ×Ｆｗ／Ｎ）の信号を乗算する。そして、該リップル測定用信号の周波数をＦｂｃ＋Ｆｌｏに変換する（Ｓ１０４）。すなわち、この後のリップル測定用信号については、周波数は掃引カウンタＡに依らず一定となる。そしてさらに、乗算器６８において、周波数Ｆｌｏの信号を乗算し、該リップル測定用信号の周波数をＦｂｃに変換する（Ｓ１０６）。このようにすることにより、リップル測定用信号の周波数は送信部２６に対し入力されたときの周波数に戻る。そして、受信部３２から入力されるリップル測定用信号の受信電圧である振幅を取得し、送信部２６に入力した際の中心周波数との周波数差である−（Ｆｗ／２）＋（Ａ×Ｆｗ／Ｎ）と対応付けて、該振幅を記憶する（Ｓ１０８）。そして、Ａを１増加させる（Ｓ１１０）。Ｓ１０２からＳ１０８までの処理をＡがＮになるまで繰り返し（Ｓ１１２）、Ａ＝Ｎとなったら、送信部２６に入力した際の周波数の、中心周波数Ｆｂｃとの差ごとの受信電圧の変化を、送信部２６のリップルの特徴量として算出し、記憶部２４に記憶する（Ｓ１１４）。なお、該記憶されるリップルの特徴量は、出力周波数の中心周波数との周波数差と、中心周波数における受信電圧との電圧差（振幅差）と、の対応テーブルのようなものであってもよいし、回帰式としてもよい。
【００４６】
次に、第２実施例においては、まず制御部２２において、送信ベースバンド制御部４０がＤ／Ａコンバータ４４に対して、リップル測定用信号を送信するよう指示を行う。このとき、複数のリップル測定用信号を順次送信し、それぞれの周波数を所定の基準周波数とする。リップル測定用信号は、正弦波（無変調の搬送波）であることが望ましい。すなわち、周波数が一定の進行波であることが望ましい。
【００４７】
そして、リップル測定用信号は、第１回路１２において通信信号と同様の処理により増幅・周波数変換される。そして、周波数変換回路１６に含まれる乗算器５６において、上記基準周波数と所定の周波数差を有するよう、周波数変換を行う。この際、送信ベースバンド制御部４０から局部発振器９２に対して基準周波数との周波数差を送信することにより、該周波数差をつけるための周波数の信号を局部発振器９２において発振することができる。そして該周波数変換されたリップル測定用信号は、第２回路１４に入力され、通信信号と同様の処理により増幅・周波数変換・復調された信号として、受信ベースバンド制御部８２に出力される。ただし、切替部２８においては、送信部２６からの信号を受信部３２に入力するための処理を行う。この処理は例えば増幅器６４において送信部２６からの漏れ高周波を検出する処理であってもよい。
【００４８】
このようにして受信されるリップル測定用信号の振幅は、リップルの影響により周波数変換回路１６から第２回路１４に信号を入力した際の周波数に応じて異なる。そして受信ベースバンド制御部８２は、第２回路１４への入力信号の周波数と、対応する出力信号の振幅と、の関係を第２回路１４のリップルの特徴を示す特徴量として算出する。そして該算出した第２回路１４のリップルの特徴量を、記憶部２４に記憶する。そして該記憶されるリップルの特徴量に応じて、切替部２８により出力される受信信号のＡ／Ｄコンバータ８０における出力信号の振幅を制御することにより、第２回路１４において送信信号が受けるリップルの影響を低減することが可能になる。
【００４９】
なお、第２回路１４には、ＲＦ−ＢＰＦ５８や、増幅器６０も含まれるが、ベースバンド周波数帯域でのリップルについて測定を行うこととすると、該ベースバンド周波数帯域においてリップルの発生に寄与する回路要素は、１次ＩＦ−ＢＰＦ４８、２次ＩＦ−ＢＰＦ５４、１次ＩＦ−ＢＰＦ７２、２次ＩＦ−ＢＰＦ７８であり、上記算出されるリップルはほとんどの部分がこれらにおいて発生している。このため、第２回路１４におけるリップルを、受信部３２のリップルとして実質上差し支えない。
【００５０】
そして、このようにして取得されるリップルを記憶部２４に記憶しておくことにより、受信部３２からの出力においてリップルの影響がなくなるよう、該記憶されるリップルに応じて受信ベースバンド制御部８２において補正を行えば、予めリップル成分を打ち消す補正を行うためのトリマコンデンサを回路の入力段階に設置し、該回路を含む製品を出荷する際に該回路のリップルを測定することにより該トリマコンデンサの容量を調節し、製品としてのリップルを最小限にすることに比べ、アンテナ３０において受信される通信信号への受信部３２でのリップルの影響をより低減することができる。すなわち、通信装置２０の運用開始後においても、リップル測定用信号を回路に通すことができる限りにおいていつでもリップルを測定することができ、さらにその記憶されるリップルに応じた受信信号の振幅の補正をすることができるので、気温や湿度等の外部環境によりリップルに微少な変化があった場合にも対応してリップルを補正することができる。
【００５１】
以上説明した第２実施例における制御部２２の処理を、処理フロー図を参照しながら、より具体的に説明する。
【００５２】
図７は、第２実施例において、制御部２２における受信部３２のリップルを算出する処理の処理フロー図である。まず、制御部２２は、変数Ｆｂｃ、変数Ｆｗ、変数Ｎ、掃引カウンタＡ及び変数Ｆｌｏの記憶領域を確保し、それぞれリップル測定用信号の周波数の基準となる中心周波数、ベースバンド周波数の帯域幅、ベースバンド帯域幅掃引ステップ、０及びＲＦローカル周波数を代入する（Ｓ１５０）。そして、送信部２６に対し、Ｆｂｃの周波数でリップル測定用信号を入力する（Ｓ１５２）。そして、乗算器５６において、該リップル測定用信号の周波数変換を行うために、周波数Ｆｌｏ＋（Ｆｗ／２）−（Ａ×Ｆｗ／Ｎ）の信号を乗算する。そして、該リップル測定用信号の周波数をＦｂｃ＋Ｆｌｏ＋（Ｆｗ／２）−（Ａ×Ｆｗ／Ｎ）に変換する（Ｓ１５４）。すなわち、この後のリップル測定用信号については、周波数は掃引カウンタＡによって変化する。そしてさらに、乗算器６８において、周波数Ｆｌｏの信号を乗算し、該リップル測定用信号の周波数をＦｂｃ＋（Ｆｗ／２）−（Ａ×Ｆｗ／Ｎ）に変換する（Ｓ１５６）。そして、受信部３２から入力されるリップル測定用信号の受信電圧である振幅を取得し、送信部２６に入力した際の中心周波数との周波数差である（Ｆｗ／２）−（Ａ×Ｆｗ／Ｎ）と対応付けて、該振幅を記憶する（Ｓ１５８）。そして、Ａを１増加させる（Ｓ１６０）。Ｓ１５２からＳ１５８までの処理をＡがＮになるまで繰り返し（Ｓ１６２）、Ａ＝Ｎとなったら、送信部２６に入力した際の周波数の、中心周波数Ｆｂｃとの差ごとの受信電圧の変化を、受信部３２のリップルの特徴量として算出し、記憶部２４に記憶する（Ｓ１６４）。なお、該記憶されるリップルの特徴量は、出力周波数の中心周波数との周波数差と、中心周波数における受信電圧との電圧差（振幅差）と、の対応テーブルのようなものであってもよいし、回帰式としてもよい。
【００５３】
次に、上記第２の実施形態の実施例として、第３実施例及び第４実施例について説明する。
【００５４】
図５は、第３実施例及び第４実施例に係る通信装置２０のハードウェア構成図である。ハードウェア構成自体は、図３において説明した通信装置２０と同様であるが、増幅器４６、１次ＩＦ−ＢＰＦ４８、乗算器５０、増幅器５２、２次ＩＦ−ＢＰＦ５４、乗算器５６、ＲＦ−ＢＰＦ５８、増幅器６０、切替部２８、増幅器６４、ＲＦ−ＢＰＦ６６は第１回路１２を構成し、乗算器６８は周波数変換回路１６を構成し、増幅器７０、１次ＩＦ−ＢＰＦ７２、乗算器７４、増幅器７６、２次ＩＦ−ＢＰＦ７８は第２回路１４を構成する。また、制御部２２は制御回路１８を構成する。このような構成とすることにより、第１回路１２と、第２回路１４との間には、周波数変換回路１６が存在することとなり、第１回路１２から出力される信号を、周波数変換回路１６及び局部発振器９２により周波数変換し、第２回路１４に入力することが可能となる。なお、図３にも示されるように、受信部３２には周波数変換のための乗算器が２つ存在しているが、リップル測定処理の場合には、一段目すなわち切替部２８に最も近い乗算器を使用し、他の乗算器は使用しないこととしてもよい。
【００５５】
第３実施例においては、まず制御部２２において、送信ベースバンド制御部４０がＤ／Ａコンバータ４４に対して、リップル測定用信号を送信するよう指示を行う。このとき、複数のリップル測定用信号を順次送信し、それぞれの送信周波数を異ならせ、基準周波数との周波数差を設ける。もちろん、基準周波数そのものであるリップル測定用信号が存在しても構わない。また、リップル測定用信号は、正弦波（無変調の搬送波）であることが望ましい。すなわち、周波数が一定の進行波であることが望ましい。
【００５６】
そして、リップル測定用信号は、第１回路１２において通信信号と同様の処理により増幅・周波数変換される。ただし、切替部２８においては、送信部２６からの信号を受信部３２に入力するための処理を行う。この処理は例えば増幅器６４において送信部２６からの漏れ高周波を検出する処理であってもよい。そして、周波数変換回路１６に含まれる乗算器６８において、上記周波数差を打ち消して、リップル測定用信号の周波数が基準周波数となるよう、周波数変換を行う。この際、受信ベースバンド制御部８２から局部発振器９４に対して基準周波数との周波数差を送信することにより、該周波数差を打ち消すための周波数の信号を局部発振器９４において発振することができる。そして該周波数変換されたリップル測定用信号は、第２回路１４に入力され、通信信号と同様の処理により増幅・周波数変換・復調された信号として、受信ベースバンド制御部８２に出力される。
【００５７】
このようにして受信されるリップル測定用信号の振幅は、リップルの影響により制御回路１８から第１回路１２に信号を入力した際の周波数に応じて異なる。そして受信ベースバンド制御部８２は、第１回路１２への入力信号の周波数と、対応する出力信号の振幅と、の関係を第１回路１２のリップルの特徴を示す特徴量として算出する。そして該算出した第１回路１２のリップルの特徴量を、記憶部２４に記憶する。そして該記憶されるリップルの特徴量に応じて、送信ベースバンド制御部４０により送信される通信信号の振幅を制御することにより、第１回路１２において送信信号が受けるリップルの影響を低減することが可能になる。
【００５８】
なお、第１回路１２には、増幅器６４やＲＦ−ＢＰＦ６６も含まれるが、ベースバンド周波数帯域でのリップルについて測定を行うこととすると、該ベースバンド周波数帯域においてリップルの発生に寄与する回路要素は、１次ＩＦ−ＢＰＦ４８、２次ＩＦ−ＢＰＦ５４、１次ＩＦ−ＢＰＦ７２、２次ＩＦ−ＢＰＦ７８であり、上記算出されるリップルはほとんどの部分がこれらにおいて発生している。このため、第１回路１２におけるリップルを、送信部２６のリップルとして実質上差し支えない。
【００５９】
そして、このようにして取得されるリップルを記憶部２４に記憶しておくことにより、第１回路１２より送信される通信信号の振幅を、第１回路１２からの出力においてリップルの影響がなくなるよう、該記憶されるリップルに応じて予め変更しておけば、予めリップル成分を打ち消す補正を行うためのトリマコンデンサを回路の入力段階に設置し、該回路を含む製品を出荷する際に該回路のリップルを測定することにより該トリマコンデンサの容量を調節し、製品としてのリップルを最小限にすることに比べ、アンテナ３０から送信される通信信号の送信電力への第１回路１２でのリップルの影響をより低減することができる。すなわち、通信装置２０の運用開始後においても、リップル測定用信号を回路に通すことができる限りにおいていつでもリップルを測定することができ、さらにその記憶されるリップルに応じた送信信号の振幅の補正をすることができるので、気温や湿度等の外部環境によりリップルに微少な変化があった場合にも対応してリップルを補正することができる。
【００６０】
以上説明した第３実施例における制御部２２の処理を、処理フロー図を参照しながら、より具体的に説明する。
【００６１】
図８は、第３実施例において、制御部２２における送信部２６のリップルを算出する処理の処理フロー図である。まず、制御部２２は、変数Ｆｂｃ、変数Ｆｗ、変数Ｎ、掃引カウンタＡ及び変数Ｆｌｏの記憶領域を確保し、それぞれリップル測定用信号の周波数の基準となる中心周波数、ベースバンド周波数の帯域幅、ベースバンド帯域幅掃引ステップ、０及びＲＦローカル周波数を代入する（Ｓ２００）。そして、送信部２６に対し、Ｆｂｃ−（Ｆｗ／２）＋（Ａ×Ｆｗ／Ｎ）の周波数でリップル測定用信号を入力する（Ｓ２０２）。そして、乗算器５６において、該リップル測定用信号の周波数変換を行うために、周波数Ｆｌｏの信号を乗算する。そして、該リップル測定用信号の周波数をＦｂｃ−（Ｆｗ／２）＋（Ａ×Ｆｗ／Ｎ）＋Ｆｌｏに変換する（Ｓ２０４）。そしてさらに、乗算器６８において、周波数Ｆｌｏ−（Ｆｗ／２）＋（Ａ×Ｆｗ／Ｎ）の信号を乗算し、該リップル測定用信号の周波数をＦｂｃに変換する（Ｓ２０６）。すなわち、この後のリップル測定用信号については、周波数は掃引カウンタＡに依らず一定となる。このようにすることにより、リップル測定用信号の周波数は送信部２６に対し入力されたときの周波数に戻る。そして、受信部３２から入力されるリップル測定用信号の受信電圧である振幅を取得し、送信部２６に入力した際の中心周波数との周波数差である−（Ｆｗ／２）＋（Ａ×Ｆｗ／Ｎ）と対応付けて、該振幅を記憶する（Ｓ２０８）。そして、Ａを１増加させる（Ｓ２１０）。Ｓ２０２からＳ２０８までの処理をＡがＮになるまで繰り返し（Ｓ２１２）、Ａ＝Ｎとなったら、送信部２６に入力した際の周波数の、中心周波数Ｆｂｃとの差ごとの受信電圧の変化を、送信部２６のリップルの特徴量として算出し、記憶部２４に記憶する（Ｓ２１４）。なお、該記憶されるリップルの特徴量は、出力周波数の中心周波数との周波数差と、中心周波数における受信電圧との電圧差（振幅差）と、の対応テーブルのようなものであってもよいし、回帰式としてもよい。
【００６２】
次に、第４実施例においては、まず制御部２２において、送信ベースバンド制御部４０がＤ／Ａコンバータ４４に対して、リップル測定用信号を送信するよう指示を行う。このとき、複数のリップル測定用信号を順次送信し、それぞれの周波数を所定の基準周波数とする。リップル測定用信号は、正弦波であることが望ましい。すなわち、周波数が一定の進行波であることが望ましい。
【００６３】
そして、リップル測定用信号は、第１回路１２において通信信号と同様の処理により増幅・周波数変換される。ただし、切替部２８においては、送信部２６からの信号を受信部３２に入力するための処理を行う。この処理は例えば増幅器６４において送信部２６からの漏れ高周波を検出する処理であってもよい。そして、周波数変換回路１６に含まれる乗算器６８において、上記基準周波数と所定の周波数差を有するよう、周波数変換を行う。この際、受信ベースバンド制御部８２から局部発振器９４に対して基準周波数との周波数差を送信することにより、該周波数差をつけるための周波数の信号を局部発振器９４において発振することができる。そして該周波数変換されたリップル測定用信号は、第２回路１４に入力され、通信信号と同様の処理により増幅・周波数変換・復調された信号として、受信ベースバンド制御部８２に出力される。
【００６４】
このようにして受信されるリップル測定用信号の振幅は、第２回路１４のリップルの影響により局部発振器９４の発振周波数に応じて異なる。そして受信ベースバンド制御部８２は、局部発振器９４の発振周波数と、対応する出力信号の振幅と、の関係を第２回路１４のリップルの特徴を示す特徴量として算出する。そして該算出した第２回路１４のリップルの特徴量を、記憶部２４に記憶する。そして該記憶されるリップルの特徴量に応じて、Ａ／Ｄコンバータ８０の出力信号の振幅に差をつけることにより、第２回路１４において送信信号が受けるリップルの影響を低減することが可能になる。
【００６５】
そして、このようにして取得されるリップルを記憶部２４に記憶しておくことにより、受信部３２からの出力においてリップルの影響がなくなるよう、該記憶されるリップルに応じて予め受信ベースバンド制御部８２において補正を行えば、予めリップル成分を打ち消す補正を行うためのトリマコンデンサを回路の入力段階に設置し、該回路を含む製品を出荷する際に該回路のリップルを測定することにより該トリマコンデンサの容量を調節し、製品としてのリップルを最小限にすることに比べ、アンテナ３０において受信される通信信号への受信部３２でのリップルの影響をより低減することができる。すなわち、通信装置２０の運用開始後においても、リップル測定用信号を回路に通すことができる限りにおいていつでもリップルを測定することができ、さらにその記憶されるリップルに応じた受信信号の振幅の補正をすることができるので、気温や湿度等の外部環境によりリップルに微少な変化があった場合にも対応してリップルを補正することができる。
【００６６】
以上説明した第４実施例における制御部２２の処理を、処理フロー図を参照しながら、より具体的に説明する。
【００６７】
図９は、第４実施例において、制御部２２における受信部３２のリップルを算出する処理の処理フロー図である。まず、制御部２２は、変数Ｆｂｃ、変数Ｆｗ、変数Ｎ、掃引カウンタＡ及び変数Ｆｌｏの記憶領域を確保し、それぞれリップル測定用信号の周波数の基準となる中心周波数、ベースバンド周波数の帯域幅、ベースバンド帯域幅掃引ステップ、０及びＲＦローカル周波数を代入する（Ｓ２５０）。そして、送信部２６に対し、Ｆｂｃの周波数でリップル測定用信号を入力する（Ｓ２５２）。そして、乗算器５６において、該リップル測定用信号の周波数変換を行うために、周波数Ｆｌｏの信号を乗算する。そして、該リップル測定用信号の周波数をＦｂｃ＋Ｆｌｏに変換する（Ｓ２５４）。すなわち、この後のリップル測定用信号については、周波数は掃引カウンタＡによって変化する。そしてさらに、乗算器６８において、周波数Ｆｌｏ＋（Ｆｗ／２）−（Ａ×Ｆｗ／Ｎ）の信号を乗算し、該リップル測定用信号の周波数をＦｂｃ−（Ｆｗ／２）＋（Ａ×Ｆｗ／Ｎ）に変換する（Ｓ２５６）。そして、受信部３２から入力されるリップル測定用信号の受信電圧である振幅を取得し、送信部２６に入力した際の中心周波数との周波数差である−（Ｆｗ／２）＋（Ａ×Ｆｗ／Ｎ）と対応付けて、該振幅を記憶する（Ｓ２５８）。そして、Ａを１増加させる（Ｓ２６０）。Ｓ２５２からＳ２５８までの処理をＡがＮになるまで繰り返し（Ｓ２６２）、Ａ＝Ｎとなったら、送信部２６に入力した際の周波数の、中心周波数Ｆｂｃとの差ごとの受信電圧の変化を、受信部３２のリップルの特徴量として算出し、記憶部２４に記憶する（Ｓ２６４）。なお、該記憶されるリップルの特徴量は、出力周波数の中心周波数との周波数差と、中心周波数における受信電圧との電圧差（振幅差）と、の対応テーブルのようなものであってもよいし、回帰式としてもよい。
【図面の簡単な説明】
【００６８】
【図１】本発明の実施の形態に係るリップル特性補正回路の構成図である。
【図２】本発明の実施の形態に係る通信装置の機能ブロック図である。
【図３】本発明の実施の形態に係る通信装置のハードウェア構成図である。
【図４】本発明の実施の形態に係る通信装置のハードウェア構成図である。
【図５】本発明の実施の形態に係る通信装置のハードウェア構成図である。
【図６】本発明の実施の形態に係る通信装置の処理フロー図である。
【図７】本発明の実施の形態に係る通信装置の処理フロー図である。
【図８】本発明の実施の形態に係る通信装置の処理フロー図である。
【図９】本発明の実施の形態に係る通信装置の処理フロー図である。
【符号の説明】
【００６９】
１０  リップル特性補正回路、１２  第１回路、１４  第２回路、１６  周波数変換回路、１８  制御回路、２０  通信装置、２２  制御部、２４  記憶部、２６  送信部、２８  切替部、３０  アンテナ、３２  受信部、３４，３６  周波数変換部、４０  送信ベースバンド制御部、４４  Ｄ／Ａコンバータ、４６，５２，６０，６４，７０，７６  増幅器、５０，５６，６８，７４  乗算器、８０  Ａ／Ｄコンバータ、８２  受信ベースバンド制御部、９０，９２，９４  局部発振器。
【図１】
2006067517.tif 000003
【図２】
2006067517.tif 000004
【図３】
2006067517.tif 000005
【図４】
2006067517.tif 000006
【図５】
2006067517.tif 000007
【図６】
2006067517.tif 000008
【図７】
2006067517.tif 000009
【図８】
2006067517.tif 000010
【図９】
2006067517.tif 000011